(57)【要約】【課題】安定した搬送をさせると共に、省力化を図ることができる用紙搬送装置及びその用紙搬送装置を備える画像形成装置を提供する。【解決手段】印刷用紙Ｐを搬送する搬送ベルト１１と、吸引力により印刷用紙Ｐを搬送ベルト１１に密着させる吸引ファン１２とを有する用紙搬送装置１０であって、吸引ファン１２は、搬送方向と直交する幅方向に複数設けられており、上記搬送される印刷用紙Ｐの大きさに応じて、吸引ファン１２のそれぞれの駆動を制御する用紙搬送装置制御部を有するという構成を採用する。【選択図】図３
2009298510.tif 000002
【特許請求の範囲】
【請求項１】
用紙を搬送する搬送ベルトと、吸引力により前記用紙を前記搬送ベルトに密着させる吸引装置とを有する用紙搬送装置であって、
前記吸引装置は、前記搬送する方向と直交する直交方向に複数設けられており、
前記搬送される前記用紙の大きさに応じて、前記吸引装置のそれぞれの駆動を制御する制御装置を有することを特徴とする用紙搬送装置。
【請求項２】
前記制御装置は、前記用紙の大きさに対応する位置に設けられた前記吸引装置を所定の吸引力で駆動させ、前記用紙の大きさに対応する位置から外れた前記吸引装置の駆動を停止させることを特徴とする請求項１に記載の用紙搬送装置。
【請求項３】
前記用紙は、前記直交方向に複数並設された前記搬送ベルトにより搬送され、
前記吸引装置は、前記搬送ベルト毎にそれぞれ設けられていることを特徴とする請求項１または２に記載の用紙搬送装置。
【請求項４】
前記用紙の大きさを検出する検出センサを有し、
前記吸引装置は、前記検出センサの検出結果に基づいて、前記吸引装置のそれぞれの駆動を制御することを特徴とする請求項１〜３のいずれか一項に記載の用紙搬送装置。
【請求項５】
請求項１〜４のいずれか一項に記載の用紙搬送装置が設けられていることを特徴とする画像形成装置。
【請求項６】
前記用紙の大きさを検出する第２検出センサが設けられると共に、前記搬送される前記用紙を収容するカセットを有し、
前記制御装置は、前記第２検出センサの検出結果に基づいて、前記吸引装置のそれぞれの駆動を制御することを特徴とする請求項５に記載の画像形成装置。
【発明の詳細な説明】
【技術分野】
【０００１】
本発明は、用紙搬送装置及びその用紙搬送装置を備えた複写機、プリンタ、またはファクシミリ装置等の画像形成装置に関するものである。
【背景技術】
【０００２】
用紙搬送装置において、ファン等の吸引装置により用紙を搬送ベルトに密着させ、用紙のヨレやシワ等を抑制しつつ搬送するものが知られている。
このような用紙搬送装置として特許文献１には、用紙の情報に基づき用紙に対する吸引力を適正になるようにファンの駆動源を制御する制御部を備えるものが開示されている。特許文献１に記載の用紙搬送装置は、例えば、用紙のサイズが大きい場合にはファンに印加する印加電圧を大きくし吸引力を高め、また、用紙のサイズが小さい場合にはファンに印加する印加電圧を小さくし吸引力を低める等することで、用紙の種類に応じてファンの回転数を変化させ適正な吸引力を作用させることで消費電力の節電等を図る構成となっている。
【特許文献１】特開２００１−１８５１２号公報
【発明の開示】
【発明が解決しようとする課題】
【０００３】
しかしながら、特許文献１に記載の用紙搬送装置では、ファンの回転数を変化させ用紙に対する吸引力を変化させる構成であることから、用紙の単位面積当たりの吸引力が変化することとなり、特に、上記用紙サイズの小さい場合に、吸引力不足を引き起こして安定した用紙の搬送を困難とさせる可能性がある。また、吸引力を弱めると密着度合いが低下して用紙のヨレやシワ等が発生しやすくなる虞がある。
さらに、特許文献１に記載の用紙搬送装置では、一個のファンで搬送ベルト全体を吸引する構成であることから、用紙のサイズが小さい場合に吸引が必要とならない範囲をも吸引することとなるため、その分の駆動力が無駄に消費されるという問題があった。
【０００４】
本発明は、上述する問題点に鑑みてなされたもので、安定した搬送をさせると共に、省力化を図ることができる用紙搬送装置及びその用紙搬送装置を備える画像形成装置を提供することを目的とする。
【課題を解決するための手段】
【０００５】
上記の課題を解決するために、本発明は、用紙を搬送する搬送ベルトと、吸引力により上記用紙を上記搬送ベルトに密着させる吸引装置とを有する用紙搬送装置であって、上記吸引装置は、上記搬送する方向と直交する直交方向に複数設けられており、上記搬送される上記用紙の大きさに応じて、上記吸引装置のそれぞれの駆動を制御する制御装置を有するという構成を採用する。
このような構成を採用することによって、本発明では、用紙のサイズに応じて、複数の吸引装置の駆動をそれぞれ制御することが可能となる。
【０００６】
また、本発明においては、上記制御装置は、上記用紙の大きさに対応する位置に設けられた上記吸引装置を所定の吸引力で駆動させ、上記用紙の大きさに対応する位置から外れた上記吸引装置の駆動を停止させるという構成を採用する。
このような構成を採用することによって、本発明では、用紙の吸引が必要となる位置で所定の吸引力を発生させると共に、用紙の吸引が必要とならない位置での吸引を停止させることができる。このことから、当該吸引力は全体では変化するが、単位面積当たりの吸引力の変化がないため、用紙の大きさに応じた用紙の安定した搬送をさせることができる。
【０００７】
また、本発明においては、上記用紙は、上記直交方向に複数並設された上記搬送ベルトにより搬送され、上記吸引装置は、上記搬送ベルト毎にそれぞれ設けられているという構成を採用する。
このような構成を採用することによって、本発明では、搬送ベルトのそれぞれにおいて吸引力を発生させることが可能となるため、搬送ベルトのそれぞれに用紙を密着させてヨレやシワをより確実に抑制することができる。
【０００８】
また、本発明においては、上記用紙の大きさを検出する検出センサを有し、上記吸引装置は、上記検出センサの検出結果に基づいて、上記吸引装置のそれぞれの駆動を制御するという構成を採用する。
このような構成を採用することによって、本発明では、検出センサの検出結果に基づいた吸引装置の正確な制御が可能となる。
【０００９】
また、本発明においては、上記構成の用紙搬送装置が設けられている画像形成装置を採用する。
このような構成を採用することによって、本発明では、上記用紙搬送装置が設けられた画像形成装置が得られる。
【００１０】
また、本発明においては、上記用紙の大きさを検出する第２検出センサが設けられると共に、上記搬送される上記用紙を収容するカセットを有し、上記制御装置は、上記第２検出センサの検出結果に基づいて、上記吸引装置のそれぞれの駆動を制御するという構成を採用する。
このような構成を採用することによって、本発明では、カセットに設けられた第２検出センサによって搬送される用紙の大きさを検出することで、当該検出結果に基づいて予め吸引装置のそれぞれの駆動を決定することができる。
【発明の効果】
【００１１】
本発明によれば、用紙を搬送する搬送ベルトと、吸引力により上記用紙を上記搬送ベルトに密着させる吸引装置とを有する用紙搬送装置であって、上記吸引装置は、上記搬送する方向と直交する直交方向に複数設けられており、上記搬送される上記用紙の大きさに応じて、上記吸引装置のそれぞれの駆動を制御する制御装置を有するという構成を採用することによって、用紙のサイズに応じて、複数の吸引装置の駆動をそれぞれ制御することが可能となる。このことから、例えば、吸引装置の用紙の吸引が必要となる位置での吸引力を強めることで用紙の安定した搬送ができ、また、吸引装置の用紙の吸引が必要とならない位置での吸引力を弱めることで省力化を図ることが可能となる。
したがって、本発明では、安定した搬送をさせると共に、省力化を図ることができる用紙搬送装置を提供することができる効果がある。
【発明を実施するための最良の形態】
【００１２】
次に、本発明の実施形態を図面に基づいて説明する。なお、以下に説明においては、本発明の用紙搬送装置を複写機（画像形成装置）に適応した場合の例について説明する。また、以下の図面において、各部材を認識可能な大きさとするために、各部材の縮尺を適宜変更している。
【００１３】
先ず、図１及び図２を参照して、本実施形態における複写機１の構成について説明する。
図１は、本発明の実施形態における複写機１の機能構成を示すブロック図である。
図２は、本発明の実施形態における複写機１の概略構成を示す正面図である。
複写機１は、原稿の画像を読み取る画像読取部２と、読み取った画像を記憶する画像記憶部３と、記憶された画像を画像処理する画像処理部４と、画像処理されたデータを基に印刷処理をする印刷部５と、それらの動作を制御する制御部６と、ユーザーの指令を制御部６へ伝送する操作部７と、印刷用紙Ｐを吸引力により吸着しつつ搬送する用紙搬送装置１０とを有する構成となっている。
【００１４】
画像読取部２は、例えば、図２に示す原稿自動送り装置２１と、原稿の画像を読み取るスキャナ２２とを備える構成となっており、制御部６から入力される制御指令に基づいて、原稿自動送り装置２１から供給された原稿の画像をスキャナ２２で読み取り、原稿画像の形状や色彩等の画像データを出力する構成となっている。
【００１５】
画像記憶部３は、ハードディスク等の外部記憶装置或いは／及び半導体メモリ等から構成されており、制御部６から入力される制御指令に基づいて、画像読取部２にて読み取った画像データを書き込み記憶すると共に、当該原稿画像データを読み出して出力する構成となっている。
【００１６】
画像処理部４は、制御部６から入力される制御指令に基づいて、画像記憶部３から入力される原稿画像データを印刷形式の画像データに変換して出力するものであり、必要に応じて原稿画像データに各種画像処理を施して印刷形式の画像データに変換する。例えば、画像読取部２がカラー画像の形成された原稿を読み取った場合には、画像記憶部３から画像処理部４に入力される原稿画像データは、光の三原色に対応したＲＧＢ画像データとなるため、画像処理部４は、このようなＲＧＢ画像データを印刷部５の印刷形式に対応した、例えばＹＭＣＫ画像データ（Ｙ（イエロー）、Ｍ（マゼンタ）、Ｃ（シアン）、Ｋ（ブラック）を基準色とする画像データ）に変換して出力する。
【００１７】
印刷部５は、制御部６から入力される制御指令に基づいて、印刷用紙（用紙）Ｐを搬送しつつ当該印刷用紙Ｐにトナーを付着させることにより、画像処理部４から入力された画像データに基づいて印刷用紙Ｐに画像を形成するものであり、例えば、図２に示す給紙カセット６１、感光ドラム６２、露光装置６３、現像装置６４、クリーニングユニット６５、転写装置６６、定着装置６７等を備える構成となっている。
【００１８】
なお、給紙カセット６１には、印刷用紙Ｐの大きさを検出する検出センサ（第２検出センサ）６１ａが設けられており（図２において不図示、図１参照）、給紙カセット６１内に収容してある印刷用紙Ｐのサイズ（例えば、ＪＩＳ規格のＡ４サイズ、Ａ３サイズ等）を検出し、制御部６へ出力する構成となっている。検出センサ６１ａは、例えば、周知の複数の反射型センサの組合せのものや光学式のラインセンサ等を用いる構成となっている。
【００１９】
操作部７は、ユーザーの指令を制御部６へ伝達する構成となっており、例えば、表示部と操作キーとを有する操作パネルから構成される。
表示部は、例えばタッチパネルや液晶ディスプレイ等から構成されており、ユーザーと複写機１とを関係付けるマンマシンインタフェースとして機能する。タッチパネルは、周知のように表示パネルの表示面に抵抗膜方式等の透明な面状押圧センサを設けたものであり、表示パネルに表示された操作ボタンにユーザーが指等で押圧すると、面状押圧センサが押圧位置（押圧座標）を示す操作信号を制御部６に出力するものである。
操作キーは、例えば電源ボタン、数字ボタン、印刷開始ボタン等、表示部に表示される操作ボタン以外のハードウエアキーであり、ユーザーの操作に基づいた操作信号を制御部６に出力する構成となっている。
【００２０】
制御部６は、ＣＰＵ（Central Processing Unit）、ＲＯＭ（Read Only Memory）やＲＡＭ（Random Access Memory）等の内部メモリから成る電子部品及び電子回路等、並びに画像読取部２、画像記憶部３、画像処理部４、印刷部５、操作部７及び用紙搬送装置１０とのデータ授受を行う各種入出力インターフェース回路等から構成されている。このような構成の制御部６は、各構成機器を統括して制御する構成となっている。
【００２１】
なお、上記のように構成された本実施形態に係る複写機１の画像形成動作（複写・印刷動作）については従来と同様であるため説明を割愛し、以下では用紙搬送装置１０の特徴的な構成及び動作について説明する。
【００２２】
図３は、本発明の実施形態における用紙搬送装置１０を示す斜視図である。
図４は、本発明の実施形態における用紙搬送装置１０を示す平面図である。
用紙搬送装置１０は、図２に示すように、転写装置６６と定着装置６７との間に設けられ、当該間において印刷用紙Ｐを搬送する構成となっている。
【００２３】
用紙搬送装置１０は、図３及び図４に示すように、印刷用紙Ｐを定着装置６７に搬送する搬送ベルト１１と、吸引力により印刷用紙Ｐを搬送ベルト１１に密着させる複数の吸引ファン（吸引装置）１２と、図１に示すように、吸引ファン１２のそれぞれの駆動を制御する用紙搬送装置制御部（制御装置）１３とを有する。
【００２４】
搬送ベルト１１は、定着装置６７に向かう印刷用紙Ｐの搬送方向に無端回走自在に設けられ、その回走面には印刷用紙Ｐに対し吸引ファン１２による吸引力を作用させる空気通過孔１１ａが複数形成される。このような搬送ベルト１１は、搬送方向と直交する幅方向（直交方向）に複数（本実施形態では４つ）並設して設けられており、それらは両端部において幅方向に架設された回転軸１４の軸周りの回転によって同期して回走する構成となっている。
【００２５】
吸引ファン１２は、幅方向において直線的に複数配設されており、より詳しくは、幅方向において並設された搬送ベルト１１毎にそれぞれ一個ずつ設けられている。吸引ファン１２は、搬送ベルト１１を回転軸１４によって張架することで形成された搬送ベルト１１の回走面の裏側の空間に設けられた筐体１５に一体となって取り付けられ、当該回走面に対し垂直方向に吸引力を作用させる構成となっている。
【００２６】
このような吸引ファン１２はそれぞれ、図１に示すように、用紙搬送装置制御部１３と電気的に接続され、用紙搬送装置制御部１３から入力される制御指令に基づいて個別に回転駆動する構成となっている。
なお、以下の説明で、図４において左端に位置する吸引ファン１２から順に、吸引ファン１２Ａ、吸引ファン１２Ｂ、吸引ファン１２Ｃ及び吸引ファン１２Ｄと称して説明する場合がある。
【００２７】
用紙搬送装置制御部１３は、ＣＰＵ（Central Processing Unit）、ＲＯＭ（Read Only Memory）やＲＡＭ（Random Access Memory）等の内部メモリから成る電子部品及び電子回路等、並びに各吸引ファン１２、制御部６及び制御部６を介して検出センサ６１ａとのデータ授受を行う各種入出力インターフェース回路等から構成されている。
また、用紙搬送装置制御部１３には、吸引ファン１２の配置データが記憶されており、検出センサ６１ａの検出結果に基づいて搬送ベルト１１上における印刷用紙Ｐが占有する幅を算出すると共に、当該算出結果と吸引ファン１２の配置データとを対比させることで、当該幅に対応する位置に設けられた吸引ファン１２を所定の回転速度で駆動させ、当該幅に対応する位置から外れた吸引ファン１２の駆動を停止させる制御を行う構成となっている。
【００２８】
次に、上記構成の用紙搬送装置１０の動作について、図５〜図７を参照して説明する。
図５は、本発明の実施形態における用紙搬送装置１０の動作を説明するフローチャートである。
図６は、本発明の実施形態における用紙搬送装置１０の動作を説明する図である。
図７は、本発明の実施形態における用紙搬送装置１０の動作を説明する図である。
【００２９】
先ず、用紙搬送装置制御部１３は、給紙カセット６１から搬出される印刷用紙Ｐの大きさを検出した検出センサ６１ａの検出結果を、制御部６を介して取得する（ステップＳ１）。
次に、用紙搬送装置制御部１３は、取得した印刷用紙Ｐの大きさに基づいて、当該印刷用紙Ｐが搬送ベルト１１上において占有する幅を算出する。そして、用紙搬送装置制御部１３は、算出した幅データと、予め記憶してある吸引ファン１２の配置データとを対比し、印刷用紙Ｐに対して吸引力を作用させる吸引ファン１２と、印刷用紙Ｐに対して吸引力を作用させない吸引ファン１２とを設定することで、印刷用紙Ｐの大きさに応じた吸引ファン１２の駆動位置を決定する（ステップＳ２）。
【００３０】
次に、用紙搬送装置制御部１３は、上記設定に基づいて、印刷用紙Ｐの大きさに対応する位置に設けられた吸引ファン１２を所定の吸引力で駆動させ、印刷用紙Ｐの大きさに対応する位置から外れた吸引ファン１２の駆動を停止させる（ステップＳ３）。
具体的には、図６に示すＡ５サイズの印刷用紙Ｐを搬送する場合は、用紙搬送装置制御部１３は、印刷用紙Ｐの大きさに対応する位置に設けられた吸引ファン１２Ｂ及び１２Ｃを所定の吸引力で駆動させ、印刷用紙Ｐの大きさに対応する位置から外れた吸引ファン１２Ａ及び１２Ｄの駆動を停止させる。また、図７に示すＡ３サイズの印刷用紙Ｐを搬送する場合は、用紙搬送装置制御部１３は、印刷用紙Ｐの大きさに対応する位置に設けられた吸引ファン１２Ａ〜１２Ｄの全てを所定の吸引力で駆動させる。
【００３１】
このように、印刷用紙Ｐの大きさに対応して、複数の吸引ファン１２の駆動をそれぞれ制御することによって、印刷用紙Ｐに対する吸引力を作用させる面積を調整することができるため、印刷用紙Ｐが搬送ベルト１１上に載置されない不必要な部位において吸引力を作用させることによる駆動力の無駄を排することが可能となる。さらに、吸引ファン１２のそれぞれの駆動を所定の吸引力で一定に調整することにより、従来のように単位面積当たりの吸引力を変動させることないため、印刷用紙Ｐのサイズが変化しても安定した一定の吸引力を印刷用紙Ｐに作用させることが可能となる。
上記のように、用紙搬送装置１０は、印刷用紙Ｐを搬送ベルト１１に一定の吸引力で密着させて印刷用紙Ｐのシワやヨレ等を抑制しつつ、印刷用紙Ｐを定着装置６７に搬送することとなる。
【００３２】
図５に戻り、用紙搬送装置制御部１３は、制御部６から次の印刷用紙Ｐが搬出されてくるか否かの情報を取得する。用紙搬送装置制御部１３は、次の印刷用紙Ｐが搬出され、印刷用紙Ｐを定着装置６７に向けて搬送する場合は、ステップＳ１に戻り再び上記工程を繰り返して、印刷用紙Ｐの大きさに応じて吸引ファン１２のそれぞれの駆動を制御する。一方、印刷処理が終了して次の印刷用紙Ｐが搬出されない場合は、吸引ファン１２の駆動を停止して終了させる（ステップＳ４）。
【００３３】
したがって、上述の本実施形態によれば、印刷用紙Ｐを搬送する搬送ベルト１１と、吸引力により印刷用紙Ｐを搬送ベルト１１に密着させる吸引ファン１２とを有する用紙搬送装置１０であって、吸引ファン１２は、搬送方向と直交する幅方向に複数設けられており、上記搬送される印刷用紙Ｐの大きさに応じて、吸引ファン１２のそれぞれの駆動を制御する用紙搬送装置制御部１３を有するという構成を採用することによって、印刷用紙Ｐのサイズに応じて、複数の吸引ファン１２の駆動をそれぞれ制御することが可能となる。このことから、例えば、吸引ファン１２の印刷用紙Ｐの吸引が必要となる位置での吸引力を強めることで用紙の安定した搬送ができ、また、吸引ファン１２の用紙の吸引が必要とならない位置での吸引力を弱めることで省力化を図ることが可能となる。
したがって、本実施形態では、安定した搬送をさせると共に、省力化を図ることができる用紙搬送装置１０を提供することができる効果がある。
【００３４】
また、本実施形態においては、用紙搬送装置制御部１３は、印刷用紙Ｐの大きさに対応する位置に設けられた吸引ファン１２を所定の吸引力で駆動させ、印刷用紙Ｐの大きさに対応する位置から外れた上記吸引ファン１２の駆動を停止させるという構成を採用することによって、用紙の吸引が必要となる位置で所定の吸引力を発生させると共に、用紙の吸引が必要とならない位置での吸引を停止させることができる。このことから、当該吸引力は全体では変化するが、単位面積当たりの吸引力の変化がないため、用紙の大きさに応じた用紙の安定した搬送をさせることができる。さらに、印刷用紙Ｐから外れた位置の吸引ファン１２を完全に停止させることで省力化を図ることが可能となる。
【００３５】
また、本実施形態においては、印刷用紙Ｐは、上記幅方向に複数並設された搬送ベルト１１により搬送され、吸引ファン１２は、搬送ベルト１１毎にそれぞれ設けられているという構成を採用することによって、搬送ベルト１１のそれぞれにおいて吸引力を発生させることが可能となるため、搬送ベルト１１のそれぞれに用紙を密着させてヨレやシワをより確実に抑制することができる。
【００３６】
また、本実施形態においては、安定した搬送をさせると共に、省力化を図ることができる上記構成の用紙搬送装置１０が設けられている複写機１が得られる。
【００３７】
また、本実施形態においては、印刷用紙Ｐの大きさを検出する検出センサ６１ａが設けられると共に、上記搬送される印刷用紙Ｐを収容する給紙カセット６１を有し、用紙搬送装置制御部１３は、検出センサ６１ａの検出結果に基づいて、吸引ファン１２のそれぞれの駆動を制御するという構成を採用することによって、給紙カセット６１に設けられた検出センサ６１ａによって搬送される印刷用紙Ｐの大きさを検出することで、当該検出結果に基づいて予め吸引ファン１２のそれぞれの駆動を決定することができる。つまり、印刷用紙Ｐの搬送経路の最上流側の給紙カセット６１において印刷用紙Ｐの大きさを検出することで、吸引ファン１２を一定の回転駆動に安定化させる時間を確保することができ、より安定した印刷用紙Ｐの搬送を可能とさせることができる効果がある。さらに、複写機１に設けられている検出センサ６１ａを利用することにより、別途検出センサを設ける必要が無くなりコスト安の効果も得られる。
【００３８】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００３９】
例えば、上記実施形態において、用紙搬送装置制御部１３は、給紙カセット６１に設けられた検出センサ６１ａによって、印刷用紙Ｐの大きさを検出すると説明したが、用紙搬送装置１０自体に用紙の大きさを検出する検出センサを別途設ける構成であってもよい。また、当該検出センサと給紙カセット６１に設けられた検出センサ６１ａと併用する構成であっても良い。
【００４０】
また、上記実施形態において、用紙は、Ａ５やＡ３等の規格により決められた大きさを有する印刷用紙Ｐであるとして説明したが、本発明は、上記規格に応じた印刷用紙Ｐだけでなく、上記規格に合致しない用紙であっても良い。この場合、例えば、検出センサによって用紙の大きさを検出することで、吸引ファン１２のそれぞれの駆動を制御する構成であることが好ましい。
【００４１】
また、本発明では、操作部７を介してユーザーの設定を受けた制御部６が、当該ユーザー設定に含まれる印刷用紙Ｐのサイズを用紙搬送装置制御部１３に出力することで、印刷用紙Ｐの大きさを取得する構成であっても良い。
【図面の簡単な説明】
【００４２】
【図１】本発明の実施の形態における複写機の機能構成を示すブロック図である。
【図２】本発明の実施の形態における複写機の概略構成を示す正面図である。
【図３】本発明の実施の形態における用紙搬送装置を示す斜視図である。
【図４】本発明の実施の形態における用紙搬送装置を示す平面図である。
【図５】本発明の実施の形態における用紙搬送装置の動作を説明するフローチャートである。
【図６】本発明の実施の形態における用紙搬送装置の動作を説明する図である。
【図７】本発明の実施の形態における用紙搬送装置の動作を説明する図である。
【符号の説明】
【００４３】
１…複写機（画像形成装置）、１０…用紙搬送装置、１１…搬送ベルト、１２…吸引ファン（吸引装置）、１３…用紙搬送装置制御部（制御装置）、６１…給紙カセット（カセット）、６１ａ…検出センサ（第２検出センサ）、Ｐ…印刷用紙（用紙）
【図１】
2009298510.tif 000003
【図２】
2009298510.tif 000004
【図３】
2009298510.tif 000005
【図４】
2009298510.tif 000006
【図５】
2009298510.tif 000007
【図６】
2009298510.tif 000008
【図７】
2009298510.tif 000009